(57)【要約】【課題】  接地体を備える草刈り機用回転刃において、接地体の取り外しや交換を容易に行えるようにする。【解決手段】  接地体１００は、草刈り機Ｂの回転刃取付け軸１４に取付けられる回転刃２００の下面側に位置して、回転刃２００と一体回転する第１部材１１０と、第１部材１１０に対して着脱可能な第２部材１５０と、を備え、第２部材１５０は、第１部材１１０に対する装着時、回転刃２００と一体回転しつつ地面に接地可能である。【選択図】  図１
2015012850.tif 000002
【特許請求の範囲】
【請求項１】
草刈り機の回転刃取付け軸に取付けられる回転刃の下面側に位置して上記回転刃と一体回転する第１部材と、
上記第１部材に対して着脱可能な第２部材と、
を備え、
上記第２部材は、上記第１部材に対する装着時、上記回転刃と一体回転しつつ地面に接地可能であることを特徴とする、草刈り機用回転刃のための接地体。
【請求項２】
上記第１部材は、上記回転刃取付け軸に嵌挿される中心孔を有する円形板状の基部と、この基部の周部において下方に突出する筒状部と、を有し、
上記第２部材は、上記第１部材の上記筒状部の内側に嵌合して上記筒状部に連結させられる筒状の嵌合部と、この嵌合部の下部からその半径方向外方に広がる椀状の接地部と、を有している、請求項１に記載の草刈り機用回転刃のための接地体。
【請求項３】
上記嵌合部は、その下方部位が底板によって閉じられている、請求項２に記載の草刈り機用回転刃のための接地体。
【請求項４】
上記第１部材の上記筒状部には、内外方向に貫通する係合孔が形成されている一方、上記第２部材の上記嵌合部には、半径方向外方に向けて突出し、半径方向内方に向けて弾性変位可能な係合突起が形成されている、請求項２または３に記載の草刈り機用回転刃のための接地体。
【請求項５】
上記係合突起は、上記嵌合部にスリットを設けることにより形成した板バネ部の外面に形成されている、請求項４に記載の草刈り機用回転刃のための接地体。
【請求項６】
上記係合突起には、上方に向かうほど上記嵌合部の半径方向内方に退避するテーパ部が形成されている、請求項４または５に記載の草刈り機用回転刃のための接地体。
【請求項７】
上記係合突起における上記嵌合部の周方向一方側の側面は、なだらかな傾斜面となっている、請求項４ないし６のいずれかに記載の草刈り機用回転刃のための接地体。
【請求項８】
草刈り機の回転刃取付け軸に中心孔を嵌挿した回転刃の下面側に、請求項１ないし７のいずれかに記載の草刈り機用回転刃のための接地体が、上記回転刃取付け軸に螺合するねじ手段によって上記第１部材を上記回転刃に対して押しつけて取付けられていることを特徴とする、草刈り機用回転刃のための接地体の取付け構造。
【請求項９】
回転刃取付け軸に中心孔を嵌挿した回転刃の下面側に、請求項１ないし７のいずれかに記載の草刈り機用回転刃のための接地体が、上記回転刃取付け軸に螺合するねじ手段によって上記第１部材を上記回転刃に対して押しつけて取付けられていることを特徴とする、草刈り機。
【発明の詳細な説明】
【技術分野】
【０００１】
本発明は、草刈り機用回転刃のための接地体、この接地体の取付け構造、およびこの取付け構造を備える草刈り機に関する。
【背景技術】
【０００２】
田畑の土手等に生育する雑草等を除去するための器具として、携帯型動力草刈り機がある。この草刈り機は、刈払機とも呼ばれるタイプのものであり、小型エンジンによって発生させられる回転動力を操作管の先端に支持させた回転刃に伝えるように構成されており、作業者は、スロットルレバーによってエンジンないしこれによって回転させられる回転刃の回転を制御しつつ、操作管を振回して所望の草刈り作業を行なう。
【０００３】
この種の携帯型動力草刈機に適した回転刃として、特許文献１に示されたものがある。同文献に示された回転刃は、この回転刃の下面側に、回転刃と一体的に回転する接地体を備えている。この接地体は、全体として椀状をしており、その中心取付け部に開けた孔を、先に回転刃取付け軸に中心孔を嵌挿した回転刃の下方において、上記回転刃取付け軸に嵌挿し、この回転刃取付け軸の先端部の雄ねじ部にナットを締めつけることにより、回転刃取付け軸および回転刃と一体化させられる。
【０００４】
このような回転刃を備える草刈り機においては、回転刃の下面側に設けた接地体を地面に接地させた状態で回転刃を回転させ、草刈り作業を行うことができる。このとき、操作管ないし回転刃までの重量の多くの部分を地面に預けながら草刈り作業を行うことができるので、作業が楽になる。接地体は、椀状をしているので、接地状態で地面を摺動させることも容易である。
【０００５】
ところで、特許文献１に示された回転刃の接地体は、軽量化を図るために、大部分が樹脂により形成されている。そしてこの接地体は、高速で回転する回転刃と一体となって回転しながら地面に摺接するため、比較的短期間でその下面の磨耗が進み、使用に耐えられなくなる。この場合、接地体の交換が必要となるが、そのためには、回転刃とともにこの接地体を固定するナットを緩めて外し、磨耗した接地体を取り外すとともに新たな接地体を回転刃取付け軸に嵌挿し、ナットを締めつけるという面倒な作業が必要であった。
【先行技術文献】
【特許文献】
【０００６】
【特許文献１】特開２００９−５５８６０号公報
【発明の概要】
【発明が解決しようとする課題】
【０００７】
本発明は、上記した事情のもとで考え出されたものであって、接地体を備える草刈り機用回転刃において、接地体の取り外しや交換を容易に行えるようにすることをその課題とする。
【課題を解決するための手段】
【０００８】
上記課題を解決するため、本発明では、次の技術的手段を採用した。
【０００９】
本発明の第１の側面によって提供される草刈り機用回転刃のための接地体は、草刈り機の回転刃取付け軸に取付けられる回転刃の下面側に位置して上記回転刃と一体回転する第１部材と、上記第１部材に対して着脱可能な第２部材と、を備え、上記第２部材は、上記第１部材に対する装着時、上記回転刃と一体回転しつつ地面に接地可能であることを特徴とする。
【００１０】
好ましい実施の形態では、上記第１部材は、上記回転刃取付け軸に嵌挿される中心孔を有する円形板状の基部と、この基部の周部において下方に突出する筒状部と、を有し、上記第２部材は、上記第１部材の上記筒状部の内側に嵌合して上記筒状部に連結させられる筒状の嵌合部と、この嵌合部の下部からその半径方向外方に広がる椀状の接地部と、を有している。なお、上記嵌合部の下方は、開放していてもよいし、底板によって閉じられていてもよい。
【００１１】
好ましい実施の形態では、上記第１部材の上記筒状部には、内外方向に貫通する係合孔が形成されている一方、上記第２部材の上記嵌合部には、半径方向外方に向けて突出し、半径方向内方に向けて弾性変位可能な係合突起が形成されている。
【００１２】
好ましい実施の形態では、上記係合突起は、上記嵌合部にスリットを設けることにより形成した板バネ部の外面に形成されている。
【００１３】
好ましい実施の形態では、上記係合突起には、上方に向かうほど上記嵌合部の半径方向内方に退避するテーパ部が形成されている。
【００１４】
好ましい実施の形態では、上記係合突起における上記嵌合部の周方向一方側の側面は、なだらかな傾斜面となっている。
【００１５】
本発明の第２の側面によって提供される草刈り機用回転刃のための接地体の取付け構造は、草刈り機の回転刃取付け軸に中心孔を嵌挿した回転刃の下面側に、上記第１の側面に係る草刈り機用回転刃のための接地体が、上記回転刃取付け軸に螺合するねじ手段によって上記第１部材を上記回転刃に対して押しつけて取付けられていることを特徴とする。
【００１６】
本発明の第３の側面によって提供される草刈り機は、回転刃取付け軸に中心孔を嵌挿した回転刃の下面側に、上記第１の側面に係る草刈り機用回転刃のための接地体が、上記回転刃取付け軸に螺合するねじ手段によって上記第１部材を上記回転刃に対して押しつけて取付けられていることを特徴とする。
【００１７】
本発明に係る草刈り機用回転刃のための接地体によれば、この接地体は、回転刃と一体的な第１部材と、実質的に接地作用を行う第２部材とが別体に構成され、第２部材が第１部材に対して着脱可能に取付けられているので、使用によって第２部材が磨耗し、交換の必要が生じた場合、この磨耗した第２部材を第１部材から取り外し、新たな第２部材を第１部材に取付けることにより、第２部材を交換することができる。この交換作業は、従来のように回転刃取付け軸に対して回転刃を固定するためのねじ手段を緩めて接地体を取り外し、新たな接地体を取付けるに際してねじ手段を締め直すといった作業に対して著しく簡略化される。また、交換部品としての第２部材は、従来の接地体に比較して安価に提供することもできる。
【００１８】
本発明のその他の特徴および利点は、図面を参照して以下に説明する実施形態の説明から、より明らかとなろう。
【図面の簡単な説明】
【００１９】
【図１】本発明の第１の実施形態に係る接地体およびこれを備えた草刈り機の一例を示す要部縦断面図である。
【図２】図１のＩＩ−ＩＩ線に沿う要部断面図である。
【図３】第２部材の平面図である。
【図４】図３のＩＶ−ＩＶ線に沿う要部矢視図である。
【図５】第１部材に対して第２部材を取り付ける操作を説明するための図１と同様の断面図である。
【図６】第１部材に対して第２部材を取り付けないし取り外す操作を説明するための図２と同様の断面図である。
【図７】本発明の第２の実施形態に係る接地体およびこれを備えた草刈り機の一例を示す要部縦断面図である。
【発明を実施するための形態】
【００２０】
以下、本発明の好ましい実施の形態につき、図面を参照して具体的に説明する。
【００２１】
図１および図２は、本発明に係る接地体１００を備えた草刈り機用回転刃２００およびこれが用いられた草刈り機Ｂの第１の実施形態を示している。図１によく表れているように、草刈機Ｂにおいては、操作管１２の基端側には、駆動源としての小型エンジン（図示略）が連結されており、その回転出力が、操作管１２に内挿された伝動軸１３を介して操作管先端部に伝達される構成となっている。小型エンジン（図示略）としては、作業者の携帯性を考慮して、たとえば排気量が２５ｃｃ程度のものが用いられる。操作管１２の基端には小型エンジン（図示略）が直接的に取り付けられる場合もあるし、フレシキブルな伝動軸を介してたとえば背負い枠に搭載されるエンジンが連結される場合もある。操作管１２の先端部のギヤケース１６には、回転刃取付け軸１４が支持され、この回転刃取付け軸１４と伝動軸１３とは、ベベルギヤ機構（図示略）によって連携されている。回転刃取付け軸１４には、その外周にスプラインが形成されているとともに、軸端には、軸方向に延びるねじ穴１４ａが形成されている。回転刃取付け軸１４には、金属製の回転刃押さえ１７がスプライン嵌合させられている。
【００２２】
回転刃押さえ１７の下位には、回転刃２００および接地体１００が、回転刃取付け軸１４ないし回転刃押さえ１７と一体回転するように取付けられる。
【００２３】
回転刃押さえ１７の下面には、円形凸部１７ａが形成され、この円形凸部１７ａに中心孔２１０を嵌合させるようにして、回転刃２００が配置される。接地体１００は、回転刃押さえ１７の円形凸部１７ａからさらに突出する回転刃取付け軸１４に中心孔１１１を嵌挿され、回転刃取付け軸１４の軸端のねじ孔１４ａにボルト１５を締め込むことにより、回転刃２００とともに回転刃取付け軸１４および回転刃押さえ１７と一体化される。
【００２４】
接地体１００は、回転刃取付け軸１４ないし回転刃２００と一体回転する第１部材１１０と、この第１部材１１０に対して着脱可能な第２部材１５０とを備えて構成される。
【００２５】
第１部材１１０は、回転刃取付け軸１４に嵌挿される中心孔１１１を有する、所定厚みの円形板状の基部１２０と、この基部１２０の周部において下方に突出する筒状部１３０と、を有し、たとえば、樹脂成形によって形成される。なお、この実施形態では、基部１２０の下面中央部に、中心孔１１１と同心状の比較的浅い凹陥部１２１が形成されている。第２部材１５０は、第１部材１１０の筒状部１３０の内側に嵌合してこの筒状部１３０に連結させられる筒状の嵌合部１６０と、この嵌合部１６０の下部からその半径方向外方に広がる接地部１８０と、を有し、たとえば樹脂成形によって形成される。接地部１８０は、断面において底部１８１から半径方向外方に向かうほど上方に変位する回転体の形態、すなわち、椀状を呈している。
【００２６】
図１、図２に表れているように、第１部材１１０の筒状部１３０には、内外方向に貫通する矩形の係合孔１３１が、周方向に等間隔に３箇所形成されている。本実施形態では、係合孔１３１は、その上部内面が上記基部１２０の下面と連続するように、上記筒状部１３０の上位部に形成されており、上記筒状部１３０の内面における上記係合孔１３１が形成されていない下方部は、下方に向かうほどやや拡径するテーパ状としてある。
【００２７】
図１〜図３に表れているように、第２部材１５０の嵌合部１６０の上位部には、半径方向外方に向けて突出し、半径方向内方に向けて弾性変位可能な係合突起１７０が、周方向に等間隔に３箇所形成されている。図３、図４から理解されるように、本実施形態においてこの係合突起１７０は、上記嵌合部１６０にスリット１６１を設けることにより形成した板バネ部１６２の外面に形成されている。この係合突起１７０は、上記係合孔１３１に内側から係合しうる上下幅と周方向幅とを有する。この係合突起１７０にはまた、その外面上部に上方に向かうほど半径方向内方に退避するテーパ部１７１が形成されており、かつ、この係合突起１７０の周方向一方側の側面は、なだらかな傾斜面１７２としてある。より具体的には、係合突起１７０が形成される板バネ部１６２は、回転刃２００の回転方向（通常は左回転）と反対方向に延びるように形成され、上記傾斜面１７２は、回転刃２００の回転方向側側面に形成される。なお、係合突起１７０における回転刃２００の回転方向と反対側の側面は、上記嵌合部１６０の外面に対して垂直ないし略垂直となっている。
【００２８】
図１に表れているように、接地体１００は、回転刃押さえ１７の円形凸部１７ａからさらに突出する回転刃取付け軸１４に第１部材１１０の中心孔１１１が対応するように配置され、第１部材１１０の基部１２０の下面に形成した凹陥部１２１にぴったりと嵌まる座金１８を介装した上で、回転刃取付け軸１４の軸端のねじ孔１４ａにボルト１５を締め込むことにより、回転刃２００とともに回転刃取付け軸１４に取付けられる。座金１８の中心孔１８ａの内径をボルト１５の外径と対応させておくと、第１部材１１０ないし第２部材１５０を、回転刃取付け軸１４と芯合わせした状態で取付けることができる。
【００２９】
第１部材１１０に対して別体の第２部材１５０は、次のようにして容易に第１部材１１０に対して一体化することができる。すなわち、図５に示すように、第１部材１１０の筒状部１３０の内側に、第２部材１５０の嵌合部１６０を押し込んでゆく。このとき、係合突起１７０は、その外面上部にテーパ部１７１が形成されていることから、このテーパ部１７１が第１部材１１０の筒状部１３０の下端内面に押され、板バネ部１６２が変形することにより弾性的に半径方向内方に変位する。嵌合部１６０は、係合突起１７０が筒状部１６０の内面を弾性的に押しながら滑動するようにして筒状部１３０の奥端まで入り込む。このとき、係合突起１７０と係合孔１３１の周方向の位置が一致していれば、図２に示すように、係合突起１７０は係合孔１３１に弾性的に係合する。また、図６に示すように、係合突起１７０と係合孔１３１の周方向の位置が一致していなくとも、第１部材１１０に対して第２部材１５０を回転刃２００の回転方向、すなわち、左方向に回転していくと、やがて係合突起１７０と係合孔１３１の周方向の位置が一致し、この時点で係合突起１７０は係合孔１３１に自動的に係合する。
【００３０】
一方、第１部材１１０に対して一体化状態にある第２部材１５０を第１部材１１０から取り外すには、第１部材１１０に対して第２部材１５０を回転刃２００の回転方向、すなわち、左方向に相対回転させて係合孔１３１に対する係合突起１７０の係合を解き、第２部材１５０を下方に向けて引き下ろせばよい。すなわち、第１部材１１０に対して第２部材１５０を左方向に回転させると、図６に示すように、係合突起１７０はその傾斜面１７２が係合孔１３１の縁に押されるようにして弾性的に半径方向内方に変位し、係合孔１３１との係合が解かれるのであり、この状態において、第２部材１５０を第１部材１１０に対して下方に引き下ろすことが可能となるのである。
【００３１】
なお、回転刃２００の回転状態においては、第１部材１１０に左方向の回転駆動力が作用するが、第２部材１５０は、その係合突起１７０の垂直状側面（回転刃２００の回転方向と反対方向の側面）が係合孔１３１に係合していて、第１部材１１０に対する回転刃２００の回転方向と反対方向（右回転方向）への相対回転が不能となっているので、第１部材１１０からの回転駆動力が有効に伝達され、回転刃２００および第１部材１１０と一体回転する。
【００３２】
上記の構成を備える草刈り機Ｂを用いて作業者は、エンジンの回転数を上げるなどして回転刃２００を高速回転させた状態で、操作管１２を左右に振回させて回転刃２００を地面に沿って移動させることにより、草刈り作業を行う。実施形態の草刈り機Ｂでは、回転刃２００の下面側に接地体１００が設けられているので、この接地体１００の接地部１８０を地面に接触させながら上記の草刈り作業を行うことができる。このとき、回転刃２００を含め、操作管１２の先端部の重量を地面に支持させることができるので、作業を楽に行うことができる。また、地面に対する回転刃２００の高さを一定に維持しつつ作業を行うことができるので、草刈り作業後の雑草の切り株を一定高さに揃えることができる。
【００３３】
接地体１００の第２部材１５０は、回転刃２００と一体に高速回転しつつ地面に接触するので、やがてその下面の磨耗が進み、交換の必要が出てくるが、上記したように、第１部材１１０に対する第２部材１５０の着脱は第１部材１１０を回転刃２００や回転刃取付け軸１４に固定するためのボルト１５を緩めたり締め直すといった作業を不要として、容易に行うことができる。
【００３４】
図７は、本発明に係る接地体１００Ａを備えた草刈り機用回転刃２００Ａおよびこれが用いられた草刈り機Ｂの第２の実施形態を示している。この実施形態における接地体１００Ａは、第１の実施形態における接地体１００に比較し、第２部材１５０における筒状の嵌合部１６０の下端が底壁１６３によって閉じられている点が異なる。この底壁１６３は、接地部１８０の最下面よりもやや上位の位置に形成される。その余の構成は第１の実施形態の接地体１００と同様であるので、接地体１００と同一の部材および部分には同一の符号を付して詳細な説明は省略する。
【００３５】
このような構成によれば、図７から理解できるように、組立状態において嵌合部１６０の下部が塞がれ、ボルト１５の頭部が外部に露出することがない。したがって、草や土等がボルト１５の頭部にこびりつくなどしてボルト１５を緩めたり締め直したりしにくくなるといったことは起こらない。また、地面に対する接地体１００Ａの滑りがよくなり、回転刃２００を地面に沿って移動させる操作がよりしやすくなる。
【００３６】
なお、この接地体１００Ａは、予め第１部材１１０と第２部材１５０とを分離しておき、第１部材１１０をボルト１５を用いて回転刃取付け軸１４および回転刃２００に一体化させ、この第１部材１１０に対して第２部材１５０を一体化することにより、回転刃取付け軸１４および回転刃２００と一体化すればよい。第１部材１１０に対する第２部材１５０の一体化は、図５、図６を参照して上述したのと同様にして行うことができる。また、第２部材１５０が磨耗した場合に、容易に交換できることも、第１の実施形態について上述したのと同様である。
【００３７】
もちろん、この発明の範囲は上述した実施形態に限定されることはなく、各請求項に記載した範囲内でのあらゆる変更は、すべて本発明の範囲に包摂される。
【００３８】
回転刃２００の形態は問われない。いわゆる超硬チップ刃のような金属製の回転刃のほか、ナイロンコードを切断要素として用いる回転刃であってもよい。
【００３９】
接地体１００の第１部材１１０に対して第２部材１５０を着脱可能とする構造もまた、実施形態の構造に限定さない。
【００４０】
さらに、回転刃２００Ａおよび接地体１００が取付けられて使用される草刈機は、図１に示したような操作管１２の先端に回転刃取付け軸１４を備える構成のものに限定されず、車輪を有して地面を移動可能なフレームに、エンジン等の動力源およびこの動力源によって回転駆動される回転刃取付け軸を有する、いわゆる自走式の草刈機にも本発明の回転刃Ａを取り付けて使用することができる。
【符号の説明】
【００４１】
Ｂ      草刈り機
１４    回転刃取付け軸
１００  接地体
１１０  第１部材
１１１  中心孔
１２０  基部
１２１  凹陥部
１３０  筒状部
１３１  係合孔
１５０  第２部材
１６０  嵌合部
１６１  スリット
１６２  板バネ部
１７０  係合突起
１７１  テーパ部
１７２  傾斜面
１８０  接地部
２００    回転刃
２１０    中心孔
【図１】
2015012850.tif 000003
【図２】
2015012850.tif 000004
【図３】
2015012850.tif 000005
【図４】
2015012850.tif 000006
【図５】
2015012850.tif 000007
【図６】
2015012850.tif 000008
【図７】
2015012850.tif 000009